(57)【要約】  ソースセルからターゲットへのユーザ機器のハンドオフの間の、ダウンリンク（ＤＬ）エアインターフェース帯域幅の効率的な使用が提供される。確実に受信するためのハンドオフメッセージとともに、重複するデータの後続する再送信を初期の通信が必要としないように迅速なステータス交換が提供される。専用ランダムアクセスチャネル（ＲＡＣＨ）プリアンブルとセル情報を送信し、通信を開始するためのＲＡＣＨをユーザ機器から受信し、ＲＡＣＨの受信に応答して、ハンドオーバーメッセージおよび無線リンク制御（ＲＬＣ）ステータスメッセージあるいはＵＬ認可を送信するための方法が提供される。【選択図】    図２
2011520361.tif 000002
【特許請求の範囲】
【請求項１】
ワイヤレス通信ハンドオフのための方法において、
前記方法は、
専用ランダムアクセスチャネル（ＲＡＣＨ）プリアンブルとセル情報とを送信することと、
通信を開始するためのＲＡＣＨを受信することと、
前記ＲＡＣＨの受信に応答して、ハンドオーバーメッセージまたはアップリンク認可のうちの少なくとも１つを送信することとを含む方法。
【請求項２】
前記ハンドオーバーメッセージを送信することは、前記ハンドオーバーメッセージと無線リンク制御（ＲＬＣ）ステータスメッセージとを同じ送信機時間間隔（ＴＴＩ）中で送信することを含む請求項１記載の方法。
【請求項３】
前記アップリンク認可を送信することは、１つ以上の構成されているデータ無線ベアラ（ＤＲＢ）にわたってパケットデータコンバージェンスプロトコル（ＰＤＣＰ）ステータスメッセージを受信し、バッファステータス報告（ＢＳＲ）を受信することが可能になる十分なサイズのアップリンクリソースを割り振ることを含む請求項１記載の方法。
【請求項４】
パケットデータコンバージェンスプロトコル（ＰＤＣＰ）ステータスメッセージとバッファステータス報告（ＢＳＲ）とを受信することをさらに含む請求項１記載の方法。
【請求項５】
サービスデータユニット（ＳＤＵ）を送ることをさらに含む請求項４記載の方法。
【請求項６】
パケットデータコンバージェンスプロトコル（ＰＤＣＰ）ステータスメッセージとバッファステータス報告（ＢＳＲ）とを受信することと、
送信機を使用して、サービスデータユニット（ＳＤＵ）を送ることとをさらに含む請求項１記載の方法。
【請求項７】
同じ送信機時間間隔（ＴＴＩ）中で無線リンク制御（ＲＬＣ）ステータスメッセージを前記ハンドオーバーメッセージとして送信することをさらに含む請求項３記載の方法。
【請求項８】
何らかのＲＬＣステータス禁止タイマーを無効にすることによりＲＬＣステータスメッセージトリガするために、ＲＬＣプロトコルデータユニット（ＰＤＵ）を送ることをさらに含む請求項６記載の方法。
【請求項９】
前記専用ランダムアクセスチャネル（ＲＡＣＨ）プリアンブルの送信に先立って、ハンドオフ交渉を開始するための要求を受信することをさらに含む請求項１記載の方法。
【請求項１０】
前記受信したＲＡＣＨが、前記送信された専用ＲＡＣＨプリアンブルに基づいていた場合に、余分のアップリンク認可を提供することをさらに含む請求項１記載の方法。
【請求項１１】
ワイヤレス通信ハンドオフのための装置において、
前記装置は、
専用ランダムアクセスチャネル（ＲＡＣＨ）プリアンブルとセル情報とを送信する手段と、
通信を開始するためのＲＡＣＨを受信する手段と、
前記ＲＡＣＨの受信に応答して、ハンドオーバーメッセージまたはアップリンク認可のうちの少なくとも１つを送信する手段とを具備する装置。
【請求項１２】
前記ハンドオーバーメッセージを送信する手段は、前記ハンドオーバーメッセージと無線リンク制御（ＲＬＣ）ステータスメッセージとを同じ送信機時間間隔（ＴＴＩ）中で送信する手段を備える請求項１１記載の装置。
【請求項１３】
前記アップリンク認可を送信する手段は、１つ以上の構成されているデータ無線ベアラ（ＤＲＢ）にわたってパケットデータコンバージェンスプロトコル（ＰＤＣＰ）ステータスメッセージを受信し、バッファステータス報告（ＢＳＲ）を受信することが可能になる十分なサイズのアップリンクリソースを割り振る手段を備える請求項１１記載の装置。
【請求項１４】
パケットデータコンバージェンスプロトコル（ＰＤＣＰ）ステータスメッセージとバッファステータス報告（ＢＳＲ）とを受信する手段をさらに具備する請求項１１記載の装置。
【請求項１５】
サービスデータユニット（ＳＤＵ）を送る手段をさらに具備する請求項１４記載の装置。
【請求項１６】
パケットデータコンバージェンスプロトコル（ＰＤＣＰ）ステータスメッセージとバッファステータス報告（ＢＳＲ）とを受信する手段と、
送信機を使用して、サービスデータユニット（ＳＤＵ）を送る手段とをさらに具備する請求項１１記載の装置。
【請求項１７】
同じ送信機時間間隔（ＴＴＩ）中で無線リンク制御（ＲＬＣ）ステータスメッセージを前記ハンドオーバーメッセージとして送信する手段をさらに具備する請求項１３記載の装置。
【請求項１８】
何らかのＲＬＣステータス禁止タイマーを無効にすることによりＲＬＣステータスメッセージトリガするために、ＲＬＣプロトコルデータユニット（ＰＤＵ）を送る手段をさらに具備する請求項１６記載の装置。
【請求項１９】
前記専用ランダムアクセスチャネル（ＲＡＣＨ）プリアンブルの送信に先立って、ハンドオフ交渉を開始するための要求を受信する手段をさらに具備する請求項１１記載の装置。
【請求項２０】
前記受信したＲＡＣＨが、前記送信された専用ＲＡＣＨプリアンブルに基づいていた場合に、余分のアップリンク認可を提供する手段をさらに具備する請求項１１記載の装置。
【請求項２１】
ワイヤレス通信ハンドオフのための装置において、
前記装置は、
専用ランダムアクセスチャネル（ＲＡＣＨ）プリアンブルとセル情報とを送信するようにと、
通信を開始するためのＲＡＣＨを受信するようにと、
前記ＲＡＣＨの受信に応答して、ハンドオーバーメッセージまたはアップリンク認可のうちの少なくとも１つを送信するように構成されている、少なくとも１つのプロセッサを具備する装置。
【請求項２２】
前記プロセッサは、前記ハンドオーバーメッセージと無線リンク制御（ＲＬＣ）ステータスメッセージとを同じ送信機時間間隔（ＴＴＩ）中で送信するように構成されている請求項２１記載の装置。
【請求項２３】
前記プロセッサは、１つ以上の構成されているデータ無線ベアラ（ＤＲＢ）にわたってパケットデータコンバージェンスプロトコル（ＰＤＣＰ）ステータスメッセージを受信し、バッファステータス報告（ＢＳＲ）を受信することが可能になる十分なサイズのアップリンクリソースを割り振るように構成されている請求項２１記載の装置。
【請求項２４】
パケットデータコンバージェンスプロトコル（ＰＤＣＰ）ステータスメッセージとバッファステータス報告（ＢＳＲ）とを受信するように構成されている前記プロセッサをさらに具備する請求項２１記載の装置。
【請求項２５】
前記受信したＲＡＣＨが、前記送信された専用ＲＡＣＨプリアンブルに基づいていた場合に、余分のアップリンク認可を提供するように構成されている前記プロセッサをさらに具備する請求項２４記載の装置。
【請求項２６】
コンピュータ読取可能媒体を具備するコンピュータプログラムプロダクトにおいて、
前記コンピュータ読取可能媒体は、
専用ランダムアクセスチャネル（ＲＡＣＨ）プリアンブルとセル情報とを送信するためのコードと、
通信を開始するためのＲＡＣＨを受信するためのコードと、
前記ＲＡＣＨの受信に応答して、ハンドオーバーメッセージまたはアップリンク認可のうちの少なくとも１つを送信するためのコードを含むコンピュータプログラムプロダクト。
【請求項２７】
前記ハンドオーバーメッセージを送信するためのコードは、前記ハンドオーバーメッセージと無線リンク制御（ＲＬＣ）ステータスメッセージとを同じ送信機時間間隔（ＴＴＩ）中で送信するためのコードを含む請求項２６記載のコンピュータプログラムプロダクト。
【請求項２８】
前記アップリンク認可を送信するためのコードは、１つ以上の構成されているデータ無線ベアラ（ＤＲＢ）にわたってパケットデータコンバージェンスプロトコル（ＰＤＣＰ）ステータスメッセージを受信し、バッファステータス報告（ＢＳＲ）を受信することが可能になる十分なサイズのアップリンクリソースを割り振るためのコードを含む請求項２６記載のコンピュータプログラムプロダクト。
【請求項２９】
パケットデータコンバージェンスプロトコル（ＰＤＣＰ）ステータスメッセージとバッファステータス報告（ＢＳＲ）とを受信するためのコードをさらに含む請求項２６記載のコンピュータプログラムプロダクト。
【請求項３０】
前記受信したＲＡＣＨが、前記送信された専用ＲＡＣＨプリアンブルに基づいていた場合に、余分のアップリンク認可を提供するためのコードをさらに含む請求項２９記載のコンピュータプログラムプロダクト。
【請求項３１】
ワイヤレス通信ハンドオフのための方法において、
前記方法は、
ハンドオーバー交渉を開始するために、ターゲットセル情報を受信することと、
前記ターゲットセル情報を使用して、ターゲットセルとの通信を始めることと、
無線リンク制御（ＲＬＣ）ステータス報告を含むハンドオーバーメッセージまたはアップリンク認可のうちの少なくとも１つを受信することと、
前記受信した情報を使用して、ステータス報告を予想することとを含む方法。
【請求項３２】
パケットデータコンバージェンスプロトコル（ＰＤＣＰ）ステータスメッセージとバッファステータス報告（ＢＳＲ）とを送信することと、
ダウンリンク上でサービスデータユニット（ＳＤＵ）を受信することとをさらに含む請求項３１記載の方法。
【請求項３３】
通信を始めることは、ランダムアクセスチャネル（ＲＡＣＨ）を送信することを含む請求項３１記載の方法。
【請求項３４】
前記ハンドオーバーを完了するために、１つ以上のメッセージを送信することをさらに含む請求項３１記載の方法。
【請求項３５】
１つ以上のメッセージを送信することは、パケットデータコンバージェンスプロトコル（ＰＤＣＰ）ステータスメッセージとバッファステータス報告（ＢＳＲ）とを送信することを含む請求項３４記載の方法。
【請求項３６】
ワイヤレス通信ハンドオフのための装置において、
前記装置は、
ハンドオーバー交渉を開始するために、ターゲットセル情報を受信する手段と、
前記ターゲットセル情報を使用して、ターゲットセルとの通信を始める手段と、
無線リンク制御（ＲＬＣ）ステータス報告を含むハンドオーバーメッセージまたはアップリンク認可のうちの少なくとも１つを受信する手段と、
前記受信した情報を使用して、ステータス報告を予想する手段とを具備する装置。
【請求項３７】
コンピュータ読取可能媒体を具備するコンピュータプログラムプロダクトにおいて、
前記コンピュータ読取可能媒体は、
ハンドオーバー交渉を開始するために、ターゲットセル情報を受信するためのコードと、
前記ターゲットセル情報を使用して、ターゲットセルとの通信を始めるためのコードと、
無線リンク制御（ＲＬＣ）ステータス報告を含むハンドオーバーメッセージまたはアップリンク認可のうちの少なくとも１つを受信するためのコードと、
前記受信した情報を使用して、ステータス報告を予想するためのコードとを含むコンピュータプログラムプロダクト。
【請求項３８】
ワイヤレス通信ハンドオフのための装置において、
前記装置は、
ハンドオーバー交渉を開始するために、ターゲットセル情報を受信するようにと、
前記ターゲットセル情報を使用して、ターゲットセルとの通信を始めるようにと、
無線リンク制御（ＲＬＣ）ステータス報告を含むハンドオーバーメッセージまたはアップリンク認可のうちの少なくとも１つを受信するようにと、
前記受信した情報を使用して、ステータス報告を予想するように構成されている、少なくとも１つのプロセッサを具備する装置。
【発明の詳細な説明】
【相互参照】
【０００１】
本出願は、「ＬＴＥにおけるハンドオーバー後の重複するＰＤＣＰ ＰＤＵの送信の回避または減少」と題する、２００８年５月２日に出願され、その譲受人に譲渡され、その全文が参照によりここに明示的に組み込まれている米国仮出願シリアル番号第６１／０４９，８４６号の利益を主張する。
【背景】
【０００２】
１．分野
本開示は、ワイヤレス通信システムに関し、さらに詳細には、通信ネットワークのソースセルとターゲットセルとの間での、移動体通信デバイスのワイヤレスハンドオーバーが必要とされるシステムに関する。
【０００３】
３ＧＰＰロングタームエボリューション（ＬＴＥ）のような進化している通信システムは、増加する数の他のユーザ機器（ＵＥ）にサービスを提供するセルをオーバーラップさせることにより形成されている通信ネットワーク内での、通信デバイスの移動性増加の必要性を取り扱う。通信デバイスは、ユーザ機器（ＵＥ）として呼ばれることが多い。サービスの継続性を維持するには、現在ＵＥと通信しているソースセルと、ＵＥがそのカバレッジエリア中に入ってきたターゲットセルとの間でハンドオフを行う必要があることが多い。可能である場合には、通信ネットワークは、ソースセルにターゲットセルと交渉させてハンドオフを始めることにより、スムーズなハンドオフを促進する。ソースセルは、過度の競合解決を回避することを期待して、ＵＥにハンドオフをシグナリングすることの一部として、アップリンク（ＵＬ）における専用ランダムアクセスチャネル（ＲＡＣＨ）プリアンブルをＵＥに提供することができる。さもなければ、ＵＥは、ソースセルとの無線リンク障害（ＲＬＦ）に続いて、代替的に、専用プリアンブルなしでＲＡＣＨにアクセスしなければならない。
【０００４】
この支援があっても、ターゲットセルとＵＥとの間でハンドオーバーと初期の通信とが行われるときに、ダウンリンク（ＤＬ）上およびアップリンク上で非効率が生じる。エアインターフェースにわたるワイヤレス通信チャネルの帯域幅制約のために、受信されず再送信されなければならないＤＬ上のサービスデータユニット（ＳＤＵ）のようなデータ送信を送ることを回避することが望ましい。この問題を考量することは、サービス品質を損なうかもしれない待ち時間を避けることを優先する。その結果として、通信ネットワークは、ハンドオーバーがシグナリングされるとすぐにＳＤＵを送ることができる。
【０００５】
状況を複雑にするのは、ＵＥに典型的な電力の制約である。バッテリーサービス寿命を保つために、ターゲットセルのような特定のネットワークノードとの送信に対してスケジューリングされていないときには、ＵＥは、その無線送信機および無線受信機の電源を定期的に切っていることが多い。ターゲットセルとＵＥとの間でステータス情報を交換できるまで、各送信機に対する適切な電力レベルとともに付加的なスケジューリング同期化は、ＳＤＵの受信の成功のためには不十分であるかもしれない。
【０００６】
その結果として、ダウンリンク上に非効率が存在する。ネットワークノード（ターゲットセル）は、ハンドオフの間に受信されていないＳＤＵをＵＥに送る際に、必要以上にＤＬリソースを消費するかもしれない。さらに、通信の成功の見込みを高めることができる、ハンドオフの後にターゲットセルからＵＥに送られるステータスメッセージは、ＵＥにより受信されないかもしれない。アップリンク（ＵＬ）上の１つ以上の無線ベアラ（ＲＢ）中でパケットデータコンバージェンスプロトコル（ＰＤＣＰ）ステータスメッセージを受信するまでのしばらくの間、ターゲットセルは、ＳＤＵが受信されていないことをＵＥから知ることができない。
【概要】
【０００７】
開示する側面のうちのいくつかの側面の基本的な理解を提供するために、簡略化した概要を以下に表す。この概要は、広範囲にわたる全体像ではなく、キーまたは重要なエレメントを識別することも、このような側面の範囲を示すことも意図していない。その目的は、後に表すより詳細な説明に対する前置きとして、記述する特徴のうちのいくつかの概念を簡略化した形態で表すことである。
【０００８】
１つ以上の側面とそれらの対応する開示とにしたがって、重複するデータの後続する再送信を初期の通信が要求しないようにステータスの交換を促進するために、ターゲットセルからのダウンリンク（ＤＬ）ハンドオーバーメッセージに関連してユーザ機器で調整することに関し、さまざまな側面を記述する。
【０００９】
１つの側面では、ワイヤレス通信ハンドオフのための方法が提供され、専用ランダムアクセスチャネル（ＲＡＣＨ）プリアンブルとセル情報とを送信し、通信を開始するためにＲＡＣＨを受信し、ＲＡＣＨの受信に応答して、ハンドオーバーメッセージまたはアップリンク認可のうちの少なくとも１つを送信する。
【００１０】
別の側面では、少なくとも１つのプロセッサがワイヤレス通信ハンドオフのために提供され、プロセッサは、専用ランダムアクセスチャネル（ＲＡＣＨ）プリアンブルとセル情報とを送信するようにと、通信を開始するためのＲＡＣＨを受信するようにと、ＲＡＣＨの受信に応答して、ハンドオーバーメッセージまたはアップリンク認可のうちの少なくとも１つを送信するように構成されている。
【００１１】
付加的な側面では、コンピュータプログラムプロダクトが、専用ランダムアクセスチャネル（ＲＡＣＨ）プリアンブルとセル情報とを送信することと、通信を開始するためのＲＡＣＨを受信することと、ＲＡＣＨの受信に応答して、ハンドオーバーメッセージまたはアップリンク認可のうちの少なくとも１つを送信することに対して提供される。
【００１２】
別の側面では、ワイヤレス通信ハンドオフのための装置は、専用ランダムアクセスチャネル（ＲＡＣＨ）プリアンブルとセル情報とを送信する手段と、通信を開始するためのＲＡＣＨを受信する手段と、ＲＡＣＨの受信に応答して、ハンドオーバーメッセージまたはアップリンク認可のうちの少なくとも１つを送信する手段とを有する。
【００１３】
１つの側面では、ワイヤレス通信ハンドオフのための方法は、ハンドオーバー交渉を開始するために、ハンドオーバーメッセージとターゲットセル情報とを受信することと、ターゲットセル情報を使用して、ターゲットセルとの通信を始めることと、無線リンク制御（ＲＬＣ）ステータス報告を含むハンドオーバーメッセージまたはアップリンク認可のうちの少なくとも１つを受信することと、受信した情報を使用して、ステータス報告を予想することとを含む。
【００１４】
別の側面では、ワイヤレス通信ハンドオフのための少なくとも１つのプロセッサは、ハンドオーバー交渉を開始するために、ハンドオーバーメッセージとターゲットセル情報とを受信するようにと、ターゲットセル情報を使用して、ターゲットセルとの通信を始めるようにと、無線リンク制御（ＲＬＣ）ステータス報告を含むハンドオーバーメッセージまたはアップリンク認可のうちの少なくとも１つを受信するようにと、受信した情報を使用してステータス報告を予想するように構成されている。
【００１５】
付加的な側面では、ハンドオーバー交渉を開始するために、ハンドオーバーメッセージとターゲットセル情報を受信するためのコードを有するコンピュータプログラムプロダクトは、ターゲットセル情報を使用して、ターゲットセルとの通信を始めるためのコードと、無線リンク制御（ＲＬＣ）ステータス報告を含むハンドオーバーメッセージまたはアップリンク認可のうちの少なくとも１つを受信するためのコードと、受信した情報を使用して、ステータス報告を予想するためのコードとを含む。
【００１６】
別の付加的な側面では、ワイヤレス通信ハンドオフのための装置は、ハンドオーバー交渉を開始するために、ハンドオーバーメッセージとターゲットセル情報とを受信する手段と、ターゲットセル情報を使用して、ターゲットセルとの通信を始める手段と、無線リンク制御（ＲＬＣ）ステータス報告を含むハンドオーバーメッセージまたはアップリンク認可のうちの少なくとも１つを受信する手段と、受信した情報を使用して、ステータス報告を予想する手段とを有する。
【００１７】
先の目的および関連する目的を達成するために、後で完全に記述し、特に特許請求の範囲において指摘する特徴を１つ以上の側面が含んでいる。以下の説明および添付の図面は、ある例示的な側面を詳細に述べ、側面の原理が用いられるさまざまな方法のうちのほんの少しのものであることを示している。図面とともに考えるときに、他の利点および新たな特徴が以下の詳細な説明から明らかになるだろう。開示する側面は、このようなすべての側面とそれらの均等物とを含むように意図されている。
【図面の簡単な説明】
【００１８】
図面全体にわたって、同一の参照キャラクタが対応したものを識別している図面とともに考慮するときに、本開示の特徴、性質および利点が下記で述べる詳細な説明から明らかになるだろう。
【図１】図１は、増加したハンドオーバー効率のためのデータパケット通信システムのブロックダイヤグラムを示している。
【図２】図２は、ハンドオフを実施するための、移動体通信デバイス（ユーザ機器）と、ソースセルと、ターゲットセルとの間の通信のタイミングダイヤグラムを示している。
【図３】図３は、ターゲットセルにより使用される、ハンドオーバー中の効率的な送信のためのサンプルの方法を示している。
【図４】図４は、ユーザ機器により使用される、ハンドオーバー中の効率的な送信に対するサンプルの方法を示している。
【図５】図５は、セルにより用いられているさまざまな側面にしたがった、重複するＰＤＣＰ ＰＤＵの送信の回避または減少を促進する例示的なシステムを表している。
【図６】図６は、ユーザ機器により用いられているさまざまな側面にしたがった、重複するＰＤＣＰ ＰＤＵの送信の回避または減少を促進する例示的なシステムを表している。
【図７】図７は、ここで表されているさまざまな側面にしたがった、重複するＰＤＣＰ ＰＤＵの送信の回避または減少を促進するユーザ機器の例である。
【図８】図８は、ここで提示されているさまざまな側面にしたがった、重複するＰＤＣＰ ＰＤＵの送信の回避または減少を促進する基地局（ｅＮＢ）の例である。
【図９】図９は、１つ以上の側面にしたがった、多元接続ワイヤレス通信システムを示している。
【図１０】図１０は、さまざまな側面にしたがった、例示的なワイヤレス通信システムを示している。
【詳細な説明】
【００１９】
図を参照して、ここでさまざまな側面を記述する。以下の説明では、説明する目的で、１つ以上の側面の完全な理解を提供するために、多数の特定の細部を述べている。しかしながら、これらの特定の細部がなくても、さまざまな側面を実施できることは明らかである。他の例では、これらの側面の記述を促進するために、よく知られている構造およびデバイスをブロックダイヤグラムの形態で示している。
【００２０】
このアプリケーションで使用しているように、用語「コンポーネント」、「モジュール」、「システム」、および、これらに類するものは、コンピュータ関連エンティティか、ハードウェアや、ハードウェアとソフトウェアとの組み合わせや、ソフトウェアや、または、実行中のソフトウェアのいずれかに関連することを意図している。例えば、コンポーネントは、これらに限定されないが、プロセッサ上で動作しているプロセス、プロセッサ、オブジェクト、実行ファイル、実行スレッド、プログラム、および／または、コンピュータであってもよい。例として、サーバ上で動作しているアプリケーションとサーバの双方をコンポーネントとすることができる。１つ以上のコンポーネントが、プロセスおよび／または実行スレッド内に存在していてもよく、コンポーネントは、１つのコンピュータ上に局所化されていてもよく、および／または、２つ以上のコンピュータの間に分散されていてもよい。加えて、それらの上にさまざまなデータ構造を記憶させているさまざまなコンピュータ読取可能媒体から、これらのコンポーネントは実行することができる。コンポーネントは、１つ以上のデータパケット（例えば、ローカルシステム中の、分散システム中の別のコンポーネントと対話する、および／または、インターネットのようなネットワークを通して、信号によって他のシステムと対話する、１つのコンポーネントからのデータ）を有する信号にしたがうような、ローカルおよび／または遠隔のプロセスによって通信することができる。
【００２１】
さらに、移動体デバイスに関連して、ここでさまざまな側面を記述する。移動体デバイスは、システム、加入者ユニット、加入者局、移動局、移動体、ワイヤレス端末、ノード、デバイス、遠隔局、遠隔端末、アクセス端末、ユーザ端末、端末、ワイヤレス通信デバイス、ワイヤレス通信装置、ユーザエージェント、ユーザデバイス、または、ユーザ機器（ＵＥ）と呼ぶこともでき、移動体デバイスは、これらの機能性のうちのいくつかまたはすべてを含んでいてもよい。移動体デバイスは、セルラ電話機、コードレス電話機、セッション開始プロトコル（ＳＩＰ）電話機、スマートフォン、ワイヤレスローカルループ（ＷＬＬ）局、パーソナルデジタルアシスタント（ＰＤＡ）、ラップトップ、ハンドヘルド通信デバイス、ハンドヘルドコンピューティングデバイス、衛星無線、ワイヤレスモデムカード、および／または、ワイヤレスシステムを通して通信するための別の処理デバイスとすることができる。さらに、基地局に関連して、ここでさまざまな側面を記述する。ワイヤレス端末と通信するために基地局を利用することができ、基地局は、アクセスポイント、ノード、Ｎｏｄｅ Ｂ、ｅ−Ｎｏｄｅ Ｂ、ｅ−ＮＢ、または、他の何らかのネットワークエンティティと呼ぶこともでき、基地局は、これらの機能性のうちのいくつかまたはすべてを含んでいてもよい。
【００２２】
多数のデバイス、コンポーネント、モジュール、および、これらに類するものを含むシステムの観点から、さまざまな側面または特徴を表すだろう。さまざまなシステムは、付加的なデバイス、コンポーネント、モジュール等を含んでいてもよく、および／または、図面に関連して述べるデバイス、コンポーネント、モジュール等のすべてを含んでいなくてもよいことが理解され、正しく認識される。これらのアプローチの組み合わせも使用してもよい。
【００２３】
単語「例示的な」は、ここでは、例、事例、または、例示として役割を果たすことを意味するように使用される。「例示的な」としてここで記述する何らかの側面または設計は、必ずしも、他の側面または設計より好ましい、あるいは、他の側面または設計より利点があるものとして解釈される必要はない。
【００２４】
さらに、開示する側面を実現するようにコンピュータを制御するために、標準のプログラミングおよび／またはエンジニアリング技法を使用して、ソフトウェア、ファームウェア、ハードウェア、または、これらの何らかの組み合わせを生成させることにより、方法、装置、または、製造物として、１つ以上のバージョンを実現してもよい。ここで使用するような用語「製造物」（または、代替的に、「コンピュータプログラムプロダクト」）は、何らかのコンピュータ読取可能デバイス、キャリア、または、媒体から、アクセス可能なコンピュータプログラムを含むことを意図している。例えば、コンピュータ読取可能媒体は、これらに限定されないが、磁気記憶デバイス（例えば、ハードディスク、フロッピー（登録商標）ディスク、磁気ストリップ．．．）や、光ディスク（例えば、コンパクトディスク（ＣＤ）、デジタル多用途ディスク（ＤＶＤ）．．．）や、スマートカードや、フラッシュメモリデバイス（例えば、カード、スティック）を含むことができる。さらに、電子メールを送受信する際に、あるいは、インターネットまたはローカルエリアネットワーク（ＬＡＮ）のようなネットワークにアクセスする際に使用するもののようなコンピュータ読取可能な電子データを伝えるために、搬送波を用いることができることを正しく認識すべきである。当然、当業者は、開示する側面の範囲から逸脱することなく、このコンフィギュレーションに対して多くの改良がなされてもよいことを認識するだろう。
【００２５】
図面を見ると、図１では、通信システム１００が、ユーザ機器（ＵＥ）１０２として表されている移動体通信デバイスと、ネットワークノードとの間のデータパケット通信を実施する。特に、通信システムは、ソースセル（同様に、ソースｅＮｏｄｅ ＢまたはソースｅＮＢ）１０４から（ターゲットｅＮｏｄｅ ＢまたはターゲットｅＮＢとして呼ぶこともある）ターゲットセル１０６へのＵＥ１０２のハンドオフの間に、アップリンク（ＵＬ）１０７の割り振りに対する拡張された命令を使用することにより、ダウンリンク（ＤＬ）１０３のエアインターフェース帯域幅の効率的な使用を増加させる。ターゲットセル１０６は、「バックワード」ハンドオフのためにソースセル１０４が交渉する能力を活用して、バックワードハンドオーバーメッセージ１０８として表されているハンドオーバーメッセージの一部として、拡張されたＵＬ命令をＵＥ１０２に送る。このバックワードハンドオフを実施する際に、ソースセル１０４は、ＵＥ１０２がソースセル１０４との通信を獲得するためのターゲットセル情報とともに、ターゲットセル上での初期のＵＬ送信のための専用ランダムアクセスチャネル（ＲＡＣＨ）プリアンブルを受信する。このアプローチは、結果として競合解決プロセスになる共通ＲＡＣＨプリアンブルの使用を回避する。ソースセルは、この専用ＲＡＣＨプリアンブルを取得して、ＵＥ１０２がドロップする前にＵＥ１０２により確実に受信してもらえるように、ハンドオフメッセージ１１０とともに専用ＲＡＣＨプリアンブルを送る。
【００２６】
専用ＲＡＣＨプリアンブルに応答する際に、ターゲットセルは、ハンドオーバーメッセージに伴う、拡張されたＵＬ命令を送ることができる。１１２において表されている１つの側面において、増加したＵＬ認可は、ＰＤＣＰステータス情報を提供するのに十分なリソースをＵＥ１０２に提供する。特に、ＵＥが、リソースを要求することも、そうでないならば、完了するのにより長くサイクル数を費やすこともなく、１１４において表されているような、（無線ベアラ（ＲＢ）当たり１つの）ＰＤＣＰステータスメッセージと、ハンドオーバー完了メッセージと、バッファステータス報告（ＢＳＲ）とを含めるための十分なリソースがＵＥ１０２に与えられる。さもなければ、ＤＬサービスデータユニット（ＳＤＵ）を即座に送ることにより待ち時間を回避する必要性は、結果として、長期間の後に、重複するＳＤＵを再送する必要性になるかもしれない。さらに、さもなければ、ターゲットセル１０６は、パケットデータコンバージェンスプロトコル（ＰＤＣＰ）プロトコルデータユニット（ＰＤＵ）をＵＬ上で受信することに成功しないかもしれない。これにより、重複するＤＬサービスデータユニット（ＳＤＵ）を送る必要性が減少または回避される。
【００２７】
別の側面では、拡張されたＵＬ命令は、ＵＥによる受信および使用の見込みを増加させるために、１１６において表されているように、ハンドオーバーメッセージと同じ送信時間間隔（ＴＴＩ）中に無線リンク制御（ＲＬＣ）ステータスメッセージを含めることができる。さもなければ、いったん、（その中にＲＬＣステータスメッセージを含まない）ハンドオーバーメッセージがＵＥにより受信が成功すると、ＵＥはハンドオーバーメッセージを処理し、ソースセルと通信するのをやめて、ターゲットセルとのランダムアクセス手順を開始するので、ＵＥ１０２は、後続するいかなるメッセージも見ないかもしれない。
【００２８】
ここで記述する技法は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されてもよいことを本開示の利益として正しく認識すべきである。用語「システム」および「ネットワーク」は、互換性があるように使用されることが多い。ＣＤＭＡシステムは、ユニバーサル地上無線アクセス（ＵＴＲＡ）、ｃｄｍａ２０００等のような無線技術を実現してもよい。ＵＴＲＡは、ワイドバンドＣＤＭＡ（Ｗ−ＣＤＭＡ）と、ＣＤＭＡの他の変形を含んでいる。ＣＤＭＡ２０００は、ＩＳ−２０００標準規格と、ＩＳ−９５標準規格と、ＩＳ−８５６標準規格をカバーしている。ＴＤＭＡシステムは、グローバルシステムフォーモバイルコミュニケーション（ＧＳＭ）（登録商標）のような無線技術を実現してもよい。ＯＦＤＭＡシステムは、進化したＵＴＲＡ（Ｅ−ＵＴＲＡ）、ウルトラモバイルブロードバンド（ＵＭＢ）、ＩＥＥＥ８０２．１１（Ｗｉ−Ｆｉ）（登録商標）、ＩＥＥＥ８０２．１６（ＷｉＭＡＸ）、ＩＥＥＥ８０２．２０、フラッシュ−ＯＦＤＭ（登録商標）等のような、無線技術を実現してもよい。ＵＴＲＡは、ユニバーサルモバイルテレコミュニケーションシステム（ＵＭＴＳ）の一部である。Ｅ−ＵＴＲＡは、３ＧＰＰロングタームエボリューションの一部であり、ダウンリンク上ではＯＦＤＭＡを用いて、アップリンク上ではＳＣ−ＦＤＭＡを用いる、３ＧＰＰの来たるべきリリースである。ＵＴＲＡと、Ｅ−ＵＴＲＡと、ＵＭＴＳと、ＬＴＥと、ＧＳＭとは、「第三世代パートナーシッププロジェクト」（３ＧＰＰ）という名の組織による文書中に記述されている。ＣＤＭＡ２０００とＵＭＢは、「第三世代パートナーシッププロジェクト２」（３ＧＰＰ２）という名の組織による文書中に記述されている。これらのさまざまな無線技術および標準規格が技術的に知られている。
【００２９】
図２〜４は、クレームされている主題事項にしたがった、手法および／またはフローチャートを示している。説明を簡単にするために、手法は、一連の動作として表され、記述されている。主題イノベーションは、示されている動作により、および／または、動作の順序により限定されないことを理解し、正しく認識すべきである。例えば、動作は、さまざまな順序で、および／または、同時に、そして、ここに提示および記述されていない他の動作とともに、行うことができる。さらに、クレームされている主題事項にしたがって、手法を実現することを、示されているすべての動作が要求されているわけではない。加えて、代替的に、状態図または状態イベントを介して一連の相関状態として手法を表すことができることを、当業者は理解し、正しく認識するだろう。その上、この後でこの明細書全体を通して開示する手法を製造品上に記憶させ、このような手法のコンピュータへの伝送および転送を促進することができることをさらに正しく認識すべきである。ここで使用するような用語、製造品は、何らかのコンピュータ読取可能デバイス、キャリア、または、媒体から、アクセス可能なコンピュータプログラムを含むことを意図している。
【００３０】
図２は、ソースセル２０４からターゲットセル２０６へのハンドオフの間に、ターゲットセルにおける競合解決を回避または減少させるための手法２００の例示的なタイミングダイヤグラムである。ブロック２１０において、ソースセル２０４は、ターゲットセル２０６とのハンドオフの交渉を始めて、専用ＲＡＣＨプリアンブルとターゲットセル情報とを受信する。ブロック２１２において、ソースセル２０４は、この専用ＲＡＣＨプリアンブルおよびターゲットセル情報とともに、ハンドオフメッセージをＵＥ２０２に送信する。ＵＥ２０２は、ブロック２１４においてターゲットセル２０６を捕捉する際に、ターゲットセル情報を活かし、ブロック２１６においてＲＡＣＨを使用してターゲットセル２０６との通信を始める際に、専用ＲＡＣＨプリアンブルを使用する。
【００３１】
有利なことに、ブロック２１８において、ターゲットセル２０６は、ＵＥ２０２に対する十分なＵＬリソース割り振りの認可とともにハンドオーバー応答により、応答する。ブロック２２０において、ターゲットセル２０６は、無線リンク制御（ＲＬＣ）ステータスメッセージを同じ送信機時間間隔（ＴＴＩ）中で送る。ターゲットセル２０６は、ハンドオーバーメッセージとともに送るＲＬＣステータスメッセージと同様に、ブロック２２２において、再順序付けウィンドウ下にあるＲＬＣ ＰＤＵを含めることを選択する。それにより、ハンドオーバーメッセージ／手順をトリガする。
【００３２】
ブロック２２４において、ＵＥ２０２は、ブロック２１８、２２０、２２２からのこの情報を使用して、ＤＬおよびＵＬに関する予想ステータス報告を決定する。特に、ブロック２２５において、ハンドオーバー完了メッセージと、（無線ベアラ（ＲＢ）当たり１つの）パケットデータコンバージェンスプロトコル（ＰＤＣＰ）ステータスメッセージと、バッファステータス報告（ＢＳＲ）とを迅速に送るために、ＵＥ２０２によって上位のＵＬ認可が使用される。この早期でのステータス情報の交換により、ブロック２２６においてダウンリンク上で送られるサービスデータユニット（ＳＤＵ）と、ブロック２２８におけるＵＬ上のＰＤＣＰ ＰＤＵとの受信が成功するか、または、少なくとも低い損失で受信される。
【００３３】
欠落しているＳＤＵをＤＬ上で再送するための要求を回避することができる、これらの効率性がブロック２３０において表されている。ブロック２３２において、ＵＥ２０２がＰＤＣＰステータスメッセージを送るように要求する必要性が緩和され、ブロック２３４におけるＤＬ上での後続する認可も、欠落しているＤＬ ＳＤＵをブロック２３６においてＵＬ上で識別する、それに続くＰＤＣＰステータスメッセージも同様である。最終的に、２３８において表されているように、待ち時間の増加と重複するＤＬ ＳＤＵの数の増加とが回避または緩和される。
【００３４】
特に図３を見ると、側面にしたがった、ワイヤレス通信システムにおけるハンドオーバーの間に効率的な送信を促進する、ｅＮＢ（例えば、セル１０４または１０６）により用いられる例示的な手法３００が示されている。方法は、３０２において開始し、方法は、ＵＥハンドオフをＵＥと交渉するのを始めるための要求をソースセル２０４から受信する。方法は、３０４において、専用ランダムアクセスチャネル（ＲＡＣＨ）プリアンブルとターゲットセル情報とをソースセルに送信する。方法は、３０６において、ＵＥからの通信を始めるための、専用ＲＡＣＨプリアンブルに基づくＲＡＣＨを受信する。側面にしたがうと、方法は、３０８において、ＵＬリソース割り振りのサイズを含むＵＬ認可を送信する。ここで、ＵＬリソース割り振りは、ＵＥが、１つ以上の構成されているデータ無線ベアラ（ＤＲＢ）にわたってＰＤＣＰステータスメッセージを送信し、バッファステータス報告（ＢＳＲ）を送信できるのに十分なサイズである。側面において、ＰＤＣＰ−ＲＬＣキューに入っているＰＤＣＰ ＰＤＵの数またはソースセルから転送されたＰＤＣＰパケットの数に基づいて、すべての構成されているデータ無線ベアラ（ＤＲＢ）にわたってＵＬ認可のサイズを計算してもよい。別の側面では、実際に送信された転送ＰＤＣＰパケットの数について、ソースセルとターゲットセルとの間でシグナリングされた情報に基づいて、サイズを計算してもよい。別の側面では、３０８における方法では、送信された専用ＲＡＣＨプリアンブルに基づくＲＡＣＨを送る各ＵＥに対して、ｅＮＢは、これらのＵＥをハンドオーバーＵＥとして識別する。方法は、３０８において、ＵＥが付加的な認可を要求しなくても、ハンドオーバーＵＥとして識別されているすべてのＵＥに対してより大きな（例えば、余分の）数の認可を提供して、ＵＥがＰＤＣＰステータスメッセージとＢＳＲとを送信するのを可能にする。別の側面では、方法は、３０８において、ＲＬＣステータスメッセージ（すなわち、報告）を含むハンドオーバーメッセージを送信する。ＲＬＣステータスメッセージとともに再順序付けウィンドウ下にあるＲＬＣ ＰＤＵが、ハンドオーバーメッセージとともに送られる。したがって、側面において、何らかのＲＬＣステータス禁止タイマーがネットワークサイド上で動作するのを無効にするハンドオーバーメッセージ／手順は、ネットワークサイドからのＲＬＣステータスメッセージをトリガする。このことは、ＵＥがターゲットセルに切り替えたときに、ソースセルにおいて受信されなかった最も古いＲＬＣ ＰＤＵをはじめとするＲＬＣ ＰＤＵの再送信を開始できるように、どのＵＬ ＲＬＣ ＰＤＵが受信されているかについての最新の情報をＵＥに通知するための方法を提供する。側面において、ＵＬ認可と、ＲＬＣステータス報告を含むハンドオーバーメッセージとを、同じＴＴＩ中で送信することができる。方法は、３１０において、ハンドオーバーを完了するための、ハンドオーバー完了メッセージと、無線ベアラ（ＲＢ）当たり１つのＰＤＣＰステータスメッセージと、１つ以上のバッファステータス報告とを受信する。
【００３５】
特に図４を見ると、側面にしたがった、ワイヤレス通信システムにおけるハンドオーバーの間の効率的な送信を促進する、ＵＥにより用いられる例示的な手法４００が示されている。方法は、４０２において開始し、方法は、ソースセル２０４からＵＥ２０２へのハンドオフメッセージとＲＡＣＨプリアンブルとを受信する。その時点で、ターゲットセルへのハンドオーバーが開始される。４０４における方法は、ブロック２１４においてターゲットセル２０６を捕捉する際にターゲットセル情報を使用し、通信を始めるために専用ＲＡＣＨプリアンブルを使用する。方法は、４０６において、通信を始めるために、専用ＲＡＣＨプリアンブルから導出されたＲＡＣＨを送信する。方法は、４０８において、ＵＬ割り振りの認可、および／または、ＲＬＣステータスメッセージとＲＬＣ ＰＤＵとを含むハンドオーバーメッセージを受信することを提供する。４１０における方法は、４０８において受信したこの情報を使用して、ダウンリンクおよびアップリンクに関する予想ステータス報告を決定する。方法は、４１２において、ハンドオーバーを完了するために、ハンドオーバー完了メッセージと、無線ベアラ（ＲＢ）当たり１つのＰＤＣＰステータスメッセージと、１つ以上のバッファステータス報告とを送信する。
【００３６】
ここで図５を参照すると、ワイヤレス通信において、重複するＰＤＣＰ ＰＤＵの送信の回避または減少を促進するシステム５００が示されている。システム５００が備えることができるのは、専用ランダムアクセスチャネル（ＲＡＣＨ）プリアンブルとセル情報とを送信するモジュール５０２や、通信を開始するためのＲＡＣＨを受信するモジュール５０４や、ＲＡＣＨの受信に応答して、ハンドオーバーメッセージまたはアップリンク認可のうちの少なくとも１つを送信するモジュール５０６や、ハンドオーバーメッセージと無線リンク制御（ＲＬＣ）ステータスメッセージを同じ送信機時間間隔（ＴＴＩ）中で送信することを含む、ハンドオーバーメッセージを送信するモジュール５０８や、アップリンク認可中でアップリンクリソース割り振りのサイズを送信することを含む、アップリンク認可を送信するモジュール５１０である。モジュール５０２〜５１０はプロセッサまたは何らかの電子デバイスであってもよいし、メモリモジュール５１２に結合することもできる。
【００３７】
ここで図６を参照すると、ワイヤレス通信において、重複するＰＤＣＰ ＰＤＵの送信の回避または減少を促進するシステム６００が示されている。システム６００が備えることができるのは、ハンドオーバー交渉を開始するために、ハンドオーバーメッセージとターゲットセル情報とをソースセルから受信するモジュール６０２や、ターゲットセル情報を使用して、ターゲットセルとの通信を始めるモジュール６０４や、無線リンク制御（ＲＬＣ）ステータス報告を含むハンドオーバーメッセージ、または、アップリンク認可のうちの少なくとも１つを受信するモジュール６０６や、ハンドオーバーを完了するために、１つ以上のメッセージを送信するモジュール６０８である。モジュール６０２〜６０８はプロセッサまたは何らかの電子デバイスであってもよいし、メモリモジュール６１０に結合することもできる。
【００３８】
ここで図７を参照すると、示されているのは、ここで提示するさまざまな側面にしたがった、重複するＰＤＣＰ ＰＤＵの送信の回避または減少を促進するシステム７００である。システム７００は、ユーザデバイス中に存在することができる。システム７００は、例えば受信機アンテナから信号を受け取ることができる受信機７０２を備えている。受信機７０２は、受信した信号をフィルタリングすることや、増幅することや、ダウンコンバートすること等のような、典型的な動作をその信号上で実施することができる。受信機７０２は、調整した信号をデジタル化して、サンプルを取得することもできる。復調器７０４は、各シンボル期間に対する受信シンボルを取得できるとともに、受信シンボルをプロセッサ７０６に提供することもできる。
【００３９】
プロセッサ７０６は、受信機コンポーネント７０２により受信した情報を分析すること、および／または、送信機７０８による送信のための情報を発生させること専用のプロセッサとすることができる。加えてまたは代替的に、プロセッサ７０６は、ユーザデバイス７００の１つ以上のコンポーネントを制御し、受信機７０２により受信した情報を分析し、および／または、送信機７０８による送信のための情報を発生させることができる。プロセッサ７０６は、付加的なユーザデバイスとの通信を調整することが可能な制御装置コンポーネントを備えていてもよい。
【００４０】
適切に作用するようにプロセッサ７０６に結合され、通信の調整に関連する情報と他の何らかの適切な情報とを記憶することができるメモリ７１０を、ユーザデバイス７００は付加的に備えることができる。メモリ７１０は、ユークリッド距離を最大化することに関係するプロトコルを付加的に記憶することができる。ユーザデバイス７００は、シンボル変調器７１２と、変調された信号を送信する送信機７０８とをさらに備えることができる。
【００４１】
図８は、ここで提示するさまざまな側面にしたがった、重複するＰＤＣＰ ＰＤＵの送信の回避または減少を促進するシステム８００の例示である。システム８００は、基地局またはアクセスポイント８０２を含んでいる。示しているように、基地局８０２は、受信アンテナ８０６により、１つ以上の通信デバイス８０４（例えば、ユーザデバイス）から信号を受信し、送信アンテナ８０８を通して、１つ以上の通信デバイス８０４に信号を送信する。
【００４２】
基地局８０２は、受信アンテナ８０６から情報を受け取り、適切に作用するように復調器８１２に関係付けられている受信機８１０を備えている。復調器８１２は、受け取った情報を復調する。ユークリッド距離を最大化することに関連する情報を記憶しているメモリ８１６に結合されているプロセッサ８１４により、復調されたシンボルを分析する。変調器８１８は、送信機８２０による送信アンテナ８０８を通しての通信デバイス８０４への送信のために、信号を多重化することができる。
【００４３】
ここで図９を参照すると、１つ以上の側面にしたがった、多元接続ワイヤレス通信システム９００が示されている。ワイヤレス通信システム９００は、１つ以上のユーザデバイスとコンタクトする１つ以上の基地局を含むことができる。各基地局は、複数のセクターに対するカバレッジを提供する。複数のアンテナグループを備える３セクター基地局９０２が示され、１つのアンテナグループは、アンテナ９０４と９０６とを含み、別のアンテナグループは、アンテナ９０８と９１０とを含み、３つ目のアンテナグループは、アンテナ９１２と９１４とを含んでいる。図面にしたがうと、各アンテナグループに対して、２つのアンテナだけが示されている。しかしながら、各アンテナグループに対して、より多いアンテナまたはより少ないアンテナが利用されてもよい。移動体デバイス９１６は、アンテナ９１２および９１４と通信している。ここで、アンテナ９１２および９１４は、フォワードリンク９１８を介して移動体デバイス９１６に情報を送信し、リバースリンク９２０を介して移動体デバイス９１６から情報を受信している。フォワードリンク（またはダウンリンク）は、基地局から移動体デバイスへの通信リンクに関連し、リバースリンク（またはアップリンク）は、移動体デバイスから基地局への通信リンクに関連している。移動体デバイス９２２は、アンテナ９０４および９０６と通信している。ここで、アンテナ９０４および９０６は、フォワードリンク９２４を介して移動体デバイス９２２に情報を送信し、リバースリンク９２６を介して移動体デバイス９２２から情報を受信している。ＦＤＤシステムでは、例えば、通信リンク９１８、９２０、９２４、および、９２６は、通信に対して異なる周波数を利用しているかもしれない。例えば、フォワードリンク９１８は、リバースリンク９２０により利用されている周波数と異なる周波数を使用しているかもしれない。
【００４４】
各アンテナのグループおよび／または各アンテナのグループが通信するように指定されているエリアを、基地局９０２のセクターとして呼ぶことがある。１つ以上の側面において、アンテナグループはそれぞれ、セクター中で、すなわち、基地局９０２によりカバーされているエリア中で、移動体デバイスと通信するように設計されている。基地局は、端末との通信に対して使用される固定局であってもよい。
【００４５】
フォワードリンク９１８と９２４とを介しての通信では、基地局９０２の送信アンテナは、異なる移動体デバイス９１６と９２２とに対するフォワードリンクの信号対ノイズ比を改善するために、ビーム形成を利用することができる。また、基地局がビーム形成を利用して、基地局のカバレッジエリア中にランダムにちらばっている移動体デバイスに送信することにより、基地局が単一のアンテナを通して、基地局のカバレッジエリア中のすべての移動体デバイスに送信することにより生じるかもしれない干渉に比べて、隣接するセル中の移動体デバイスに対する干渉が小さくなる。
【００４６】
図１０は、さまざまな側面にしたがった、例示的なワイヤレス通信システム１０００を示している。ワイヤレス通信システム１０００は、簡潔にするために、１つの基地局および１つの端末を表している。しかしながら、システム１０００は、１つより多い基地局またはアクセスポイント、および／または、１つより多い端末またはユーザデバイスを含むことができ、ここで、付加的な基地局および／または付加的な端末は、下記で記述する例示的な基地局および例示的な端末と実質上類似しているものか、または、下記で記述する例示的な基地局および例示的な端末とは実質上異なるものとすることができることを正しく認識すべきである。加えて、基地局および／または端末が、その間のワイヤレス通信を促進するために、ここで記述するシステムおよび／または方法を用いることができることを正しく認識すべきである。
【００４７】
ここで図１０を参照すると、ダウンリンク上では、アクセスポイント１００５において、送信（ＴＸ）データプロセッサ１０１０は、トラフィックデータを受け取り、フォーマットし、コード化し、インターリーブし、変調（またはシンボルマッピング）して、変調シンボル（「データシンボル」）を提供する。シンボル変調器１０１５は、データシンボルおよびパイロットシンボルを受け取って処理し、シンボルのストリームを提供する。シンボル変調器１０１５は、データシンボルとパイロットシンボルとを多重化して、Ｎ個の送信シンボルの組を取得する。各送信シンボルは、データシンボル、パイロットシンボル、または、０の信号値であってもよい。パイロットシンボルは、各シンボル期間中で連続的に送られてもよい。パイロットシンボルは、周波数分割多重化（ＦＤＭ）、直交周波数分割多重化（ＯＦＤＭ）、時分割多重化（ＴＤＭ）、周波数分割多重化（ＦＤＭ）、または、コード分割多重化（ＣＤＭ）することができる。
【００４８】
送信機ユニット（ＴＭＴＲ）１０２０は、シンボルのストリームを受け取って、１つ以上のアナログ信号にコンバートし、さらに、アナログ信号を調整し（例えば、増幅し、フィルタリングし、および、周波数アップコンバートし）、ワイヤレスチャネルを通した送信に対して適したダウンリンク信号を発生させる。ダウンリンク信号は、その後、アンテナ１０２５を通して端末に送信される。端末１０３０において、アンテナ１０３５は、ダウンリンク信号を受信して、受信信号を受信機ユニット（ＲＣＶＲ）１０４０に提供する。受信機ユニット１０４０は、受信信号を調整し（例えば、フィルタリングし、増幅し、および、周波数ダウンコンバートし）、調整した信号をデジタル化して、サンプルを取得する。シンボル復調器１０４５は、Ｎ個の受信シンボルを取得して、チャネル推定のために、受け取ったパイロットシンボルをプロセッサ１０５０に提供する。シンボル復調器１０４５は、さらに、ダウンリンクに対する周波数応答推定をプロセッサ１０５０から受け取って、受信データシンボル上でデータ復調を実施して、データシンボル推定（これらは、送信されたデータシンボルの推定である）を取得し、データシンボル推定をＲＸデータプロセッサ１０５５に提供する。ＲＸデータプロセッサ１０５５は、データシンボル推定を復調し（すなわち、シンボルデマッピングし）、デインターリーブし、デコードして、送信トラフィックデータを復元する。シンボル復調器１０４５およびＲＸデータプロセッサ１０５５による処理はそれぞれ、アクセスポイント１００５における、シンボル変調器１０１５およびＴＸデータプロセッサ１０１０による処理に対して相補的である。
【００４９】
アップリンク上で、ＴＸデータプロセッサ１０６０は、トラフィックデータを処理して、データシンボルを提供する。シンボル変調器１０６５は、データシンボルを受け取って、パイロットシンボルと多重化し、変調を実施して、シンボルのストリームを提供する。送信機ユニット１０７０は、その後、シンボルのストリームを受け取り、シンボルのストリームを処理してアップリンク信号を発生させる。アップリンク信号は、アンテナ１０３５によりアクセスポイント１００５に送信される。
【００５０】
アクセスポイント１００５において、端末１０３０からのアップリンク信号は、アンテナ１０２５により受信されて、サンプルを取得するために受信機ユニット１０７５により処理される。シンボル復調器１０８０は、その後、サンプルを処理して、アップリンクに対する、受信パイロットシンボルおよびデータシンボル推定を提供する。ＲＸデータプロセッサ１０８５は、データシンボル推定を処理して、端末１０３０により送信されたトラフィックデータを復元する。プロセッサ１０９０は、アップリンク上で送信しているそれぞれのアクティブな端末に対するチャネル推定を実施する。
【００５１】
プロセッサ１０９０および１０５０は、アクセスポイント１００５および端末１０３０における動作をそれぞれ命令する（例えば、制御する、調整する、管理する・・・）。プロセッサ１０９０および１０５０はそれぞれ、プログラムコードおよびデータを記憶する（示していない）メモリユニットに関係付けることができる。プロセッサ１０９０および１０５０は、アップリンクおよびダウンリンクに対する、周波数およびインパルス応答推定をそれぞれ導出するための計算も実施できる。
【００５２】
多元接続システム（例えば、ＦＤＭＡ、ＯＦＤＭＡ、ＣＤＭＡ、ＴＤＭＡ、および、これらに類するもの）に対して、複数の端末はアップリンク上で同時に送信できる。このようなシステムに対しては、パイロットサブ帯域は、異なる端末間で共有される。各端末に対するパイロットサブ帯域が（おそらく、帯域端を除いて）動作帯域全体にまたがっているケースでは、チャネル推定技法を使用してもよい。このようなパイロットサブ帯域構造は、各端末に対する周波数ダイバーシティを取得するのに望ましいものであるだろう。ここで記述する技法はさまざまな手段により実現してもよい。例えば、これらの技法は、ハードウェアで、ソフトウェアで、または、これらを組み合わせたもので実現してもよい。ハードウェアインプリメンテーションのために、１つ以上の、特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、制御装置、マイクロ制御装置、マイクロプロセッサ、ここで記述した機能を実施するように設計されている他の電子ユニット、または、これらを組み合わせたものの内で、チャネル推定に対して使用される処理ユニットを実現してもよい。ソフトウェアでのインプリメンテーションは、ここで記述した機能を実施するモジュール（例えば、手順、機能等）を通してもよい。ソフトウェアコードは、メモリユニット中に記憶させてもよく、プロセッサ１０９０および１０５０により実行してもよい。
【００５３】
ハードウェア、ソフトウェア、ファームウェア、または、これらの何らかの組み合わせによって、ここで記述した側面を実現してもよいことを理解すべきである。ソフトウェアで実現されたときに、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、汎用コンピュータまたは特殊目的コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用コンピュータまたは特殊目的コンピュータ、あるいは、汎用プロセッサまたは特殊目的プロセッサによりアクセスでき、命令またはデータ構造の形態で所望のプログラムコード手段を伝送または記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、および、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、ここで、一般的に、ディスク（ｄｉｓｋ）は、データを磁気的に再生する一方で、ディスク（ｄｉｓｃ）はデータをレーザによって光学的に再生する。上記のものを組み合わせたものもまた、コンピュータ読取可能媒体の範囲内に含められるべきである。
【００５４】
ここで開示した側面に関連して記述した、さまざまな例示的な論理、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、ここで記述した機能を実施するように設計されているこれらの任意の組み合わせにより、実現または実施されてもよい。汎用プロセッサはマイクロプロセッサであってもよいが、代替的に、プロセッサは、任意の従来のプロセッサ、制御装置、マイクロ制御装置、または、状態機械であってもよい。プロセッサは、例えば、ＤＳＰとマイクロプロセッサを組み合わせたものや、複数のマイクロプロセッサや、ＤＳＰコアを伴う１つ以上のマイクロプロセッサや、他の何らかのこのようなコンフィギュレーションのような、コンピューティングデバイスを組み合わせたものとしても実現されてもよい。加えて、少なくとも１つのプロセッサは、上記で記述した１つ以上のステップおよび／またはアクションを実施するように動作可能な、１つ以上のモジュールを備えていてもよい。
【００５５】
ソフトウェアインプリメンテーションのために、ここで記述した機能を実施するモジュール（例えば、手順、関数等）により、ここで記述した技法が実現されてもよい。ソフトウェアコードは、メモリユニット中に記憶されて、プロセッサによって実行されてもよい。技術的に知られているようなさまざまな手段によって、メモリユニットがプロセッサに通信可能に結合されている場合に、メモリユニットはプロセッサ内でまたはプロセッサの外部で実現されてもよい。さらに、少なくとも１つのプロセッサが、ここで記述した機能を実施するように動作可能である１つ以上のモジュールを含んでいてもよい。
【００５６】
ここで記述した技法が、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されてもよい。用語「システム」および「ネットワーク」は、互換性があるように使用されることが多い。ＣＤＭＡシステムは、ユニバーサル地上無線アクセス（ＵＴＲＡ）、ＣＤＭＡ２０００等のような無線技術を実現してもよい。ＵＴＲＡは、ワイドバンドＣＤＭＡ（Ｗ−ＣＤＭＡ）と、ＣＤＭＡの他の変形を含んでいる。さらに、ＣＤＭＡ２０００は、ＩＳ−２０００標準規格と、ＩＳ−９５標準規格と、ＩＳ−８５６標準規格をカバーしている。ＴＤＭＡシステムは、グローバルシステムフォーモバイルコミュニケーション（ＧＳＭ）のような無線技術を実現してもよい。ＯＦＤＭＡシステムは、進化したＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ等のような、無線技術を実現してもよい。ＵＴＲＡとＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを用いて、アップリンク上ではＳＣ−ＦＤＭＡを用いるＥ−ＵＴＲＡを使用する、ＵＭＴＳのリリースである。ＵＴＲＡと、Ｅ−ＵＴＲＡと、ＵＭＴＳと、ＬＴＥと、ＧＳＭとは、「第三世代パートナーシッププロジェクト」（３ＧＰＰ）という名の組織による文書中に記述されている。さらに、ＣＤＭＡ２０００とＵＭＢは、「第三世代パートナーシッププロジェクト２」（３ＧＰＰ２）という名の組織による文書中に記述されている。さらに、このようなワイヤレス通信システムは、対でない無認可のスペクトルや、８０２．ｘｘワイヤレスＬＡＮや、ブルートゥース（登録商標）や、他の何らかの短距離のワイヤレス通信技法または長距離のワイヤレス通信技法を使用することが多い、ピア・ツー・ピア（例えば、移動体間の）アドホックネットワークシステムを付加的に含んでいてもよい。
【００５７】
さらに、標準規格のプログラミングおよび／またはエンジニアリング技法を使用して、ここで記述したさまざまな側面または特徴を方法、装置、または、製造物として実現してもよい。ここで使用するような用語「製造物」は、何らかのコンピュータ読取可能デバイス、キャリア、または、媒体から、アクセス可能なコンピュータプログラムを含むことを意図している。例えば、コンピュータ読取可能媒体は、これらに限定されないが、磁気記憶デバイス（例えば、ハードディスク、フロッピーディスク、磁気ストリップ等）や、光ディスク（例えば、コンパクトディスク（ＣＤ）、デジタル多用途ディスク（ＤＶＤ）等）や、スマートカードや、フラッシュメモリデバイス（例えば、カード、スティック、キードライブ等）を含むことができる。さらに、ここで記述したさまざまな記憶媒体は、１つ以上のデバイスおよび／または情報を記憶するための他の機械読取可能媒体を表すことができる。用語「機械読取可能媒体」は、これらに限定されることなく、ワイヤレスチャネルと、命令および／またはデータを記憶、包含、および／または、伝送することが可能な他のさまざまな媒体とを含むことができる。さらに、コンピュータプログラムプロダクトは、ここで記述した機能をコンピュータに実施させるように動作可能な、１つ以上の命令またはコードを有するコンピュータ読取可能媒体を含んでいてもよい。
【００５８】
さらに、ここで開示した側面に関連して記述した方法またはアルゴリズムのステップおよび／またはアクションは、ハードウェアで、プロセッサにより実行されるソフトウェアモジュールで、あるいは、双方を組み合わせたもので直接的に具現化してもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体中に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体はプロセッサに一体化していてもよい。さらに、いくつかの側面では、プロセッサおよび記憶媒体は、ＡＳＩＣ中に存在していてもよい。さらに、ＡＳＩＣはユーザ端末中に存在していてもよい。代替実施形態では、プロセッサおよび記憶媒体は、ディスクレートコンポーネントとしてユーザ端末中に存在していてもよい。さらに、いくつかの側面では、方法またはアルゴリズムのステップおよび／またはアクションは、コードおよび／または命令のうちの１つとして、コードおよび／または命令の何らかの組み合わせとして、あるいは、何らかの組のコードおよび／または命令として、機械読取可能媒体上および／またはコンピュータ読取可能媒体上に存在していてもよい。機械読取可能媒体および／またはコンピュータ読取可能媒体は、コンピュータプログラムプロダクト中に組み込まれていてもよい。
【００５９】
先の開示では、例示的な側面および／または側面を述べたが、記述した側面および／または添付の特許請求の範囲により規定されているような側面の範囲から逸脱することなく、ここで、さまざまな変更および改良を行うことができることに留意すべきである。したがって、記述した側面は、添付の特許請求の範囲内にある、すべてのこのような変更、改良、および、バリエーションを含むことを意図している。さらに、記述した側面のエレメントおよび／または側面は、単数で記述またはクレームされているかもしれないが、単数への限定が明示的に述べられていない限り、複数が意図されている。さらに、そうでないと述べられていない限り、何らかの側面のすべてまたは一部ならびに／あるいは側面を、他の何らかの側面のすべてまたは一部ならびに／あるいは側面とともに利用することができる。
【００６０】
用語「含む」が、詳細な説明または特許請求の範囲のいずれかで使用される限り、このような用語は、用語「具備する」が請求項の中で移転語として用いられるときに解釈されるように、用語「具備する」にある意味類似して包括的であることを意図している。さらに、詳細な説明または特許請求の範囲のいずれかで使用される用語「または」は、排他的な「または」というよりむしろ包括的な「または」を意味することを意図している。すなわち、特に明記されていない限り、または、文脈から明らかでない限り、フレーズ「ＸがＡまたはＢを用いる」は、本来の包括的な順列のうちのいずれかを意味することを意図している。すなわち、フレーズ「ＸがＡまたはＢを用いる」は、以下の例：ＸがＡを用いる；ＸがＢを用いる；または、ＸがＡとＢの双方を用いる、のうちのいずれによっても満たされるものである。さらに、本出願および添付の特許請求の範囲で使用されている冠詞「１つ（ａおよびａｎ）」は、特に明記がない限り、または、単数形への指示が文脈から明確でない限り、一般的に「１つ以上」を意味するように解釈すべきである。
【図１】
2011520361.tif 000003
【図２】
2011520361.tif 000004
【図３】
2011520361.tif 000005
【図４】
2011520361.tif 000006
【図５】
2011520361.tif 000007
【図６】
2011520361.tif 000008
【図７】
2011520361.tif 000009
【図８】
2011520361.tif 000010
【図９】
2011520361.tif 000011
【図１０】
2011520361.tif 000012
【国際調査報告】
2011520361.tif 000013
2011520361.tif 000014
2011520361.tif 000015
2011520361.tif 000016
2011520361.tif 000017
2011520361.tif 000018